(57)【要約】【課題】生産性を向上することが可能な電磁弁および電磁弁を用いた燃料噴射装置を提供すること。【解決手段】ストッパ部材２６１を含むステータは、スプリング４１、４２により下方（図のＸ方向）に付勢されるとともに、上部ボデー３に外部から径内方向にねじ込まれる調整ねじ４０がストッパ部材２６１の傾斜面２６５に当接することにより、アーマチャ１７軸線方向の位置が調節されようになっている。【選択図】図２
2010174753.tif 000002
【特許請求の範囲】
【請求項１】
筒状部を有し、流体が流通する流体通路が形成されたハウジングと、
前記ハウジング内に設けられ、軸線方向の一端に弁体を有し、軸線方向に変位することにより前記弁体で前記流体通路を開閉するアーマチャと、
前記筒状部の内側における前記アーマチャの軸線方向の他端側に設けられて前記ハウジングと協働して前記アーマチャの収容空間を形成するとともに、ソレノイドへの通電時に前記アーマチャを軸線方向の前記他端側に磁気吸引するステータと、
前記アーマチャに対して前記一端側に付勢する力を作用させる付勢部材と、を備える電磁弁であって、
前記筒状部には雌ねじ部が形成されており、
前記雌ねじ部に螺合する雄ねじ部を有するねじ部材を備え、
前記ねじ部材のねじ込み量の変化に応じて前記ステータが前記軸線方向に変位することを特徴とする電磁弁。
【請求項２】
前記ステータと前記ハウジングとの間に設けられ、前記ステータを前記アーマチャ側に押圧する弾性部材を備え、
前記雌ねじ部は、前記筒状部の径方向を軸とするように形成され、
前記ステータの外周面には、前記アーマチャ側の端面から遠ざかるほど径外方向に向かう傾斜面が形成されており、
前記ねじ部材が前記傾斜面に当接していることを特徴とする請求項１に記載の電磁弁。
【請求項３】
前記ステータは、前記アーマチャを軸線方向の前記他端側に磁気吸引した際に前記アーマチャの変位を規制するストッパ部材を有し、
前記傾斜面は、前記ストッパ部材に形成されていることを特徴とする請求項２に記載の電磁弁。
【請求項４】
前記雌ねじ部は、前記筒状部の内周面に形成され、
前記ステータが前記ねじ部材であることを特徴とする請求項１に記載の電磁弁。
【請求項５】
前記ステータは、前記アーマチャを軸線方向の前記他端側に磁気吸引した際に前記アーマチャの変位を規制するストッパ部材を有し、
前記雄ねじ部は、前記ストッパ部材に形成されていることを特徴とする請求項４に記載の電磁弁。
【請求項６】
請求項１ないし請求項５のいずれかに記載の電磁弁と、
前記ハウジング内に設けられ、噴孔を開閉するノズルニードルと、
前記ハウジング内に設けられ、前記ノズルニードルと一体的に動作するコマンドピストンと、
前記ハウジング内に設けられ、前記コマンドピストンの背圧制御を行う圧力制御室と、を備え、
前記流体通路は、前記圧力制御室から燃料を排出する燃料排出通路であることを特徴とする燃料噴射装置。
【発明の詳細な説明】
【技術分野】
【０００１】
本発明は、電磁弁および電磁弁を用いてノズルニードルを駆動する燃料噴射装置に関する。
【背景技術】
【０００２】
従来技術として、例えば、下記特許文献１に開示されたインジェクタ（燃料噴射装置）がある。このインジェクタは、インジェクタボデー、オリフィスプレート、およびバルブボデーからなるハウジング内に、噴孔を開閉するノズルニードルと一体的に動作するコマンドピストンの背圧制御を行う圧力制御室を備えており、圧力制御室の出口側オリフィスを電磁弁で開閉するようになっている。
【０００３】
この電磁弁は、軸線方向の一端に弁体を有し軸線方向に変位することにより弁体で出口側オリフィスを開閉するアーマチャと、アーマチャの軸線方向の他端側（反オリフィス側）に設けられてハウジングとともにアーマチャの収容空間を形成するステータとを備えている。ステータは、ステータコア、ソレノイド、ステータケース、ストッパ等から構成されており、ソレノイドへの通電時にアーマチャを軸線方向の他端側に磁気吸引するようになっている。
【０００４】
ハウジングとステータとの間、具体的にはインジェクタボデーとステータケースとの間にスペーサが介装されて、両者がリテーニングナットで固定されており、スペーサにより設定された、閉弁状態におけるアーマチャのステータ側の面とこの面に対向するステータのストッパのアーマチャ側の面との間隔が、閉弁状態からソレノイドに通電した際のアーマチャのフルリフト量となっている。
【先行技術文献】
【特許文献】
【０００５】
【特許文献１】特開２００６−１９４２３７号公報
【発明の概要】
【発明が解決しようとする課題】
【０００６】
しかしながら、上記従来技術の燃料噴射装置の電磁弁では、アーマチャのフルリフト量がスペーサの厚さによって決定されるため、アーマチャのフルリフト量（アーマチャの最大変位量）が目標値に合致しない場合には、ハウジングとステータとを分解してスペーサを厚さが異なるものに変更する組み直し作業が必要となる。したがって、アーマチャの最大変位量を目標値に合致させるための作業工数が増大し易く、生産性が悪化するという問題がある。
【０００７】
本発明は、上記点に鑑みてなされたものであり、生産性を向上することが可能な電磁弁および電磁弁を用いた燃料噴射装置を提供することを目的とする。
【課題を解決するための手段】
【０００８】
上記目的を達成するため、請求項１に記載の発明の電磁弁では、
筒状部を有し、流体が流通する流体通路が形成されたハウジングと、
ハウジング内に設けられ、軸線方向の一端に弁体を有し、軸線方向に変位することにより弁体で流体通路を開閉するアーマチャと、
筒状部の内側におけるアーマチャの軸線方向の他端側に設けられてハウジングと協働してアーマチャの収容空間を形成するとともに、ソレノイドへの通電時にアーマチャを軸線方向の他端側に磁気吸引するステータと、
アーマチャに対して一端側に付勢する力を作用させる付勢部材と、を備える電磁弁であって、
筒状部には雌ねじ部が形成されており、
雌ねじ部に螺合する雄ねじ部を有するねじ部材を備え、
ねじ部材のねじ込み量の変化に応じてステータがアーマチャ軸線方向に変位することを特徴としている。
【０００９】
これによると、ハウジングの筒状部内にステータを組付けた後に、ハウジング筒状部に対するねじ部材のねじ込み量を変化させることにより、ステータをアーマチャ軸線方向に変位させることができる。すなわち、ねじ部材のねじ込み量を変化させることにより、閉弁状態におけるアーマチャとステータの間隔で決まるアーマチャの最大変位量を変更することができる。したがって、アーマチャの最大変位量を目標最大変位量と合致させるためにハウジングとステータとを分解して組み直しを行うことが不要であり、生産性を向上することができる。
【００１０】
また、請求項２に記載の発明では、請求項１に記載の電磁弁において、
ステータとハウジングとの間に設けられ、ステータをアーマチャ側に押圧する弾性部材を備え、
雌ねじ部は、筒状部の径方向を軸とするように筒状部に形成され、
ステータの外周面には、アーマチャ側の端面から遠ざかるほど径外方向に向かう傾斜面が形成されており、
ねじ部材が傾斜面に当接していることを特徴としている。
【００１１】
これによると、ねじ部材をハウジング円筒部の径内方向にねじ込んで進入させたときには、ねじ部材で傾斜面を押すことによりアーマチャとの間隔が拡がるようにステータを変位させることができる。また、ねじ部材をハウジング円筒部の径外方向に後退させたときには、弾性部材でステータをアーマチャ側に押すことによりアーマチャとの間隔が狭まるようにステータを変位させることができる。このように、閉弁状態におけるアーマチャとステータの間隔で決まるアーマチャの最大変位量を容易に変更調整することができる。
【００１２】
また、請求項３に記載の発明では、請求項２に記載の電磁弁において、
ステータは、アーマチャを軸線方向の他端側に磁気吸引した際にアーマチャの変位を規制するストッパ部材を有し、
傾斜面は、ストッパ部材に形成されていることを特徴としている。
【００１３】
これによると、アーマチャの最大変位を規制するストッパ部材をねじ部材によりアーマチャ軸線方向に直接変位させることができる。したがって、アーマチャの最大変位量を精度よく変更調整することができる。
【００１４】
また、請求項４に記載の発明では、請求項１に記載の電磁弁において、雌ねじ部はハウジング筒状部の内周面に形成されており、ステータがねじ部材であることを特徴としている。
【００１５】
これによると、ねじ部材であるステータをハウジング円筒部にねじ込んで進入させたときには、アーマチャとの間隔が狭まるようにステータを変位させることができる。また、ねじ部材であるステータをハウジング円筒部から後退させたときには、アーマチャとの間隔が拡がるようにステータを変位させることができる。このように、閉弁状態におけるアーマチャとステータとの間隔で決まるアーマチャの最大変位量を容易に変更調整することができる。
【００１６】
また、請求項５に記載の発明では、請求項４に記載の電磁弁において、
ステータは、アーマチャを軸線方向の他端側に磁気吸引した際にアーマチャの変位を規制するストッパ部材を有し、
雄ねじ部は、ストッパ部材に形成されていることを特徴としている。
【００１７】
これによると、アーマチャの最大変位を規制するストッパ部材がハウジング筒状部と直接螺合するので、ステータのストッパ部材をアーマチャ軸線方向に精度よく変位させることができる。したがって、アーマチャの最大変位量を精度よく変更調整することができる。
【００１８】
また、請求項６に記載の発明の燃料噴射装置では、
請求項１ないし請求項５いずれかに記載の電磁弁と、
ハウジング内に設けられ、噴孔を開閉するノズルニードルと、
ハウジング内に設けられ、ノズルニードルと一体的に動作するコマンドピストンと、
ハウジング内に設けられ、コマンドピストンの背圧制御を行う圧力制御室と、を備え、
流体通路は、圧力制御室から燃料を排出する燃料排出通路であることを特徴としている。
【００１９】
噴孔を開閉するノズルニードルと一体的に動作するコマンドピストンの背圧制御を行う圧力制御室を備え、電磁弁で圧力制御室から排出される燃料の排出通路を開閉する燃料噴射装置では、電磁弁のアーマチャ最大変位量が噴孔からの燃料噴射精度に大きく影響する。したがって、請求項６に記載の発明によれば、噴孔からの燃料噴射精度が良好な燃料噴射装置の生産性を容易に向上することができる。
【図面の簡単な説明】
【００２０】
【図１】本発明を適用した第１の実施形態における電磁弁を備える燃料噴射弁を模式的に示した断面図である。
【図２】第１の実施形態における電磁弁を模式的に示した部分拡大図である。
【図３】第２の実施形態における電磁弁を模式的に示した部分拡大図である。
【発明を実施するための形態】
【００２１】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した形態と同様とする。実施の各形態で具体的に説明している部分の組合せばかりではなく、特に組合せに支障が生じなければ、実施の形態同士を部分的に組み合せることも可能である。
【００２２】
（第１の実施形態）
本実施形態で示す電磁弁５０が用いられる燃料噴射弁（燃料噴射装置）１００は、例えば、ディーゼルエンジンまたは筒内噴射式火花点火内燃機関（以下、直噴ガソリンエンジン）の気筒内へ直接的に噴射する直噴型エンジンに使用する装置である。また、燃料噴射弁は、例えば吸気ポートへ燃料を噴射するものにも使用可能である。
【００２３】
以下、本発明の一適用例である第１の実施形態を図面に基づいて説明する。図１は本発明を適用した電磁弁５０を備える燃料噴射弁１００を模式的に示した断面図である。図２は、電磁弁５０を模式的に示した部分拡大図である。
【００２４】
図１に示すように、電磁弁５０を備える燃料噴射弁１００は、ノズルボデー１と下部ボデー２と上部ボデー３とを例えばリテーニングナット等の接続部材やねじ機構等の接続機構を用いて一体化し構成されたボデーを備えている。電磁弁５０は、下部ボデー２の一部と上部ボデー３とに収納される弁装置である。下部ボデー２には、高圧燃料を噴射装置内に導入するための流入ポート（高圧ポート）４が形成されている。流入ポート４は、下部ボデー２に形成された第１部分通路５、ノズルボデー１に形成された第２部分通路６を順に介して、ノズルボデー１に形成された燃料溜まり室７に連通している。燃料溜まり室７の先端側にはノズルボデー１に形成された噴孔８が設けられている。燃料溜まり室７と噴孔８とは、ニードル（ノズルニードル）９の先端部の弁部１０によって、互いに連通状態または遮断状態となる。また、燃料噴射弁１００は、燃料を噴出するために先端に形成される噴孔８が図示しない気筒内の燃焼室に接続されるように、シリンダヘッドに取り付けられている。
【００２５】
流入ポート４は、下部ボデー２に形成された他の第３部分通路１１、オリフィスプレート１２に形成された流入オリフィスを含む第４部分通路１３を順に介して、下部ボデー２に形成された制御室（圧力制御室）１４に連通している。制御室１４は、オリフィスプレート１２に形成されたオリフィス（流出オリフィス）１５に連通しており、オリフィス１５の先には、低圧室１６が位置している。バルブボデー３０には軸方向に貫通する貫通孔３１が形成されている。バルブボデー３０は、貫通孔３１内をすべりながら動く（以下、摺動と称することもある）ようにアーマチャ１７の軸方向突出部１７２を保持する。
【００２６】
オリフィス１５と低圧室１６との間にはアーマチャ１７の先端部に配された弁体１８が位置しており、オリフィス１５と低圧室１６は、弁体１８によって、互いに連通状態又は遮断状態となる。低圧室１６はバルブボデー３０内に形成された燃料通路３２を介して下部ボデー２に形成された低圧燃料通路１９に連通している。低圧燃料通路１９は、燃料タンク（図示せず）に連通している。また、低圧燃料通路１９は、リーク通路２３１を介して、下部ボデー２に形成されたばね収容室２３に連通している。ここで、オリフィス１５は、本実施形態における弁体１８により開閉される流体通路に相当し、圧力制御室１４から燃料を排出するための燃料排出通路であると言える。
【００２７】
下部ボデー２の内部空間には、コマンドピストン２０がその軸方向（図１のＸ方向、Ｙ方向）へ移動可能に収容されている。コマンドピストン２０はプレッシャピン２１およびニードル（ノズルニードル）９と軸方向に連動するようになっている。ニードル９の軸方向の一部は燃料溜まり室７に配されている。ニードル９の先端部は噴孔８を開閉する弁部１０を構成している。コマンドピストン２０はその後端部（図１におけるＹ方向の端部）が制御室１４に位置するように設けられている。コマンドピストン２０の先端部（図１におけるＸ方向の端部）は、ばね収容室２３に配され、第１スプリング２４が外周に配設されている。第１スプリング２４は、軸方向においてコイル径が一定の圧縮コイルスプリングで構成され、ばね収容室２３に収容されている。第１スプリング２４は、プレッシャピン２１を介して、ニードル９に対し、ノズルボデー１に弁部１０を押し付ける方向（図１のＸ方向）に付勢力（勢いを増加させる力）を常時加えている。
【００２８】
低圧室１６およびこれに連通する収容空間３３にはアーマチャ１７が配置されている。本実施形態において下部ボデー２、上部ボデー３、オリフィスプレート１２、およびバルブボデー３０からなる構成が本発明で言うところのハウジングに相当し、上部ボデー３がハウジングの筒状部に相当する。また、後述するステータコア２６、ストッパ部材２６１、ソレノイド２７、樹脂ボデー２８、およびステータケース２９を含む構成が本発明で言うところのステータに相当する。したがって、アーマチャ１７の収容空間３３は、ハウジングとステータとによって形成されている。なお、ステータは、樹脂モールドされることによって、各構成要素が一体となっている。
【００２９】
アーマチャ１７は、磁性材で構成されており、後端部（図１におけるＹ方向の端部）側に位置する円盤状部１７１と、先端部（図１におけるＸ方向の端部）側に位置する軸方向突出部１７２と、を備えている。アーマチャ１７の縦断面（軸方向に沿った断面）形状は、略Ｔ字状を呈している。円盤状部１７１は、ソレノイド２７を内蔵するステータコア２６とバルブボデー３０との間に形成された収納空間３３に配置された部分であり、ソレノイド２７による電磁駆動力と第２スプリング２５の付勢力とを直接受けて、両者の間を往復移動する。軸方向突出部１７２は、円盤状部１７１と一体に軸方向に延びる形状であり、円盤状部１７１よりも、径方向（軸方向に対して垂直な方向）について長さが短く、軸方向に長さが長い形状である。軸方向突出部１７２は、円盤状部１７１とともに軸方向に往復運動し、バルブボデー３０の貫通孔３１内を摺動する摺動部である。
【００３０】
アーマチャ１７は、軸方向突出部１７２の先端部（図のＸ方向の端部）に弁体１８を有している。アーマチャ１７の円盤状部１７１の後面（図のＹ方向の端面）には、付勢部材である第２スプリング２５がアーマチャ１７の円盤状部１７１、ステータコア２６およびストッパ部材２６１等からなるステータ内に亘って配されている。第２スプリング２５は、軸方向においてコイル径が一定の圧縮コイルスプリングで構成され、アーマチャ１７に対し、弁体１８をオリフィス１５の出口に押し付ける方向（図１のＸ方向）の付勢力を常時加えている。
【００３１】
上部ボデー３の内側には、ソレノイド２７を有する磁性材からなるステータコア２６、非磁性材からなるストッパ部材２６１、および樹脂材からなる樹脂ボデー２８が設けられている。ステータコア２６は、ソレノイド２７に電流が通電された時に、第２スプリング２５の付勢力に打ち勝ってアーマチャ１７を磁気吸引し、弁体１８をオリフィス１５の出口から離すように動作させる。ターミナル２８１は、樹脂ボデー２８から上方（図のＹ方向）に向かって突出しており、ソレノイド２７と外部の制御装置（図示せず）とに電気的に接続されている。ターミナル２８１を通じてソレノイド２７には、制御装置の制御指令値に応じた時間、電流が供給される。
【００３２】
このようにアーマチャ１７の軸方向突出部１７２は、第２スプリング２５による付勢力とソレノイド２７による電磁駆動力とによって、貫通孔３１の内壁面の摺動案内作用を受けながら軸方向に往復移動される。
【００３３】
ストッパ部材２６１は、円盤形状の円盤状部２６２と、円盤状部２６２から下方（図のＸ方向）に延び外径が円盤状部２６２よりも小さい円筒形状の円筒部２６３と、により構成されている。第２スプリング２５は、ストッパ部材２６１の円盤状部２６２および円筒部２６３を軸方向に貫通する貫通孔内に配設されている。
【００３４】
次に、アーマチャ１７、上部ボデー３を有するハウジング、および、ストッパ部材２６１を有するステータ等からなる電磁弁５０の要部構成について図２を参照して説明する。
【００３５】
図２に示すように、アーマチャ１７の円盤状部１７１におけるステータコア２６側（図のＹ方向）の端面にはストッパ部材２６１に向かって突出する形状の環状突部１７４が形成されている。環状突部１７４は、電磁駆動力の作用によって、アーマチャ１７がステータコア２６側にリフトされたときに、ストッパ部材２６１の円筒部２６３下端面２６４と接触する円盤状部１７１側の接触部分である。
【００３６】
円盤状部１７１の環状突部１７４より内側の中央部には下方向（図のＸ方向）に凹んだ凹部１７３が形成されている。第２スプリング２５の一方側の端部（図のＸ方向の端部）は、円盤状部１７１の凹部１７３内に同心上に挿設されて凹部１７３の底面に（具体的には底面に配設されたスプリングシートに）当接している。第２スプリング２５の他方側の端部（図のＹ方向の端部）は樹脂ボデー２８内に挿設されて（具体的にはスプリングシートおよびシム板（スペーサ）を介して）当接している。
【００３７】
ステータの樹脂ボデー２８とハウジングの上部ボデー３との間には、ステータをアーマチャ１７側（図のＸ方向）に押圧する弾性部材であるスプリング４１が介装されている。一方、ステータのステータケース２９とハウジングの下部ボデー２との間には、ステータを上方（図のＹ方向）に押圧するスプリング４２が介装されている。スプリング４１およびスプリング４２は、本例では圧縮コイルスプリングを採用しているが、波板ばね等を用いることも可能である。スプリング４１の押圧力はスプリング４２の押圧力よりも常時大きくなっており、両スプリング４１、４２によってステータは下方（図のＸ方向）に付勢されている。
【００３８】
樹脂ボデー２８の外周には、樹脂ボデー２８と上部ボデー３とに圧縮されて面圧を発生し収容空間３３と外部空間との間にシール構造を形成するシール部材であるＯリング４３が装着されている。下部ボデー２の外周にも、下部ボデー２と上部ボデー３とに圧縮されて面圧を発生し収容空間３３と外部空間との間にシール構造を形成するシール部材であるＯリング４４が装着されている。
【００３９】
ストッパ部材２６１の円盤状部２６２の外周面の一部には、アーマチャ１７側の端面（図のＸ方向側の端面）から遠ざかるほど径外方向に向かう傾斜面２６５が形成されている。すなわち、傾斜面２６５は、径外方向および下方向（図のＸ方向）を向くように軸線方向に対して傾斜した面として形成されている。
【００４０】
ハウジングの筒状部である上部ボデー３には、上部ボデー３の径方向を軸とする貫通孔が設けられて貫通孔の内周面に雌ねじ部３０１が形成されている。雌ねじ部３０１は、上部ボデー３の内側に配設されるステータのストップ部材２６１傾斜面２６５形成位置に対応する位置に設けられている。雌ねじ部３０１が形成された貫通孔内には、外周面に雌ねじ部３０１と螺合する雄ねじ部４０１が形成されたねじ部材である調整ねじ４０が挿入され、調整ねじ４０先端のテーパ面部４０２がストッパ部材２６１の傾斜面２６５に当接している。
【００４１】
このような構成により、調整ねじ４０を上部ボデー３の外部からねじ込んで径内方向に進入させた場合には、調整ねじ４０がストッパ部材２６１の傾斜面２６５を押すことにより、スプリング４１、４２の付勢力に抗してストッパ部材２６１を含むステータ構成が上方（図のＹ方向）に変位する。一方、調整ねじ４０を上部ボデー３の径外方向に後退させた場合には、傾斜面２６５が調整ねじ４０に当接し続けるので、スプリング４１、４２の付勢力によってストッパ部材２６１を含むステータ構成が下方（図のＸ方向）に変位する。
【００４２】
すなわち、調整ねじ４０の上部ボデー３へのねじ込み量の変化に応じてステータ構成はアーマチャ１７の軸線方向に変位する。換言すれば、調整ねじ４０の上部ボデー３へのねじ込み量に応じてステータ構成はアーマチャ１７の軸線方向における位置が決定される。
【００４３】
アーマチャ１７の弁体１８がオリフィス１５を閉じている閉弁状態において、アーマチャ１７の円盤状部１７１における環状突部１７４の上面１７５と、この上面１７５に対向するストッパ部材２６１の円筒部２６３下端面２６４との間隔は、アーマチャ１７の開弁方向への最大リフト量（最大変位量）に相当する。したがって、調整ねじ４０のねじ込み量（径方向への進退量）を調節することにより、アーマチャの最大リフト量を設定目標値に合致させるリフト量調整を行うことができる。
【００４４】
上記構成の燃料噴射弁１００の作動について説明する。ソレノイド２７に通電されていないときには、磁気吸引力はアーマチャ１７に働かず、第２スプリング２５の付勢力が円盤状部１７１にＸ方向に作用し、円盤状部１７１の環状突部１７４はストッパ部材２６１の下端面２６４と接触していない状態である。このため、アーマチャ１７の弁体１８はＸ方向に移動してオリフィス１５を塞いでおり、制御室１４および燃料溜まり室７が高圧燃料で満たされている。ニードル９には、コマンドピストン２０およびプレッシャピン２１を介して伝達される制御室１４の高圧燃料によるＸ方向に作用する力Ｆ１と、第１スプリング２４によるＸ方向に作用する力Ｆ２と、燃料溜まり室７の高圧燃料によるＹ方向の力Ｆ３とが働いている。そして、Ｆ１とＦ２の合成力がＦ３を上回るため、弁部１０は噴孔８を塞いでおり（閉弁）、燃料は噴射されない。
【００４５】
そして、ソレノイド２７に通電されると、ステータコア２６およびアーマチャ１７によって磁気回路が形成され、ステータコア２６とアーマチャ１７との間に電磁駆動力としての磁気吸引力が発生する。アーマチャ１７は磁気吸引力によって第２スプリング２５の付勢力に逆らってＹ方向へ移動する。アーマチャ１７円盤状部１７１の環状突部１７４がストッパ部材２６１の下端面２６４に当接してアーマチャ１７の目標最大変位量に相当する変位（リフト）が完了する。
【００４６】
このアーマチャ１７の移動により、弁体１８はオリフィス１５の出口から離れるため、制御室１４の高圧の燃料はオリフィス１５を経て低圧室１６に放出される。このため、制御室１４内の圧力が急激に低下してＦ１とＦ２の合成力がＦ３よりも小さくなる。また、ばね収容室２３はリーク通路２３１を介して低圧室１６等の低圧流路に連通しているので、ニードル９は燃料溜まり室７の高圧の燃料に押されてＹ方向に移動し、第１スプリング２４の付勢力に抗してプレッシャピン２１およびコマンドピストン２０をＹ方向に変位させる。このようにして、ニードル９の弁部１０は開弁され、燃料溜まり室７の高圧燃料が噴孔８から噴射されるようになる。
【００４７】
その後、ソレノイド２７への通電が遮断されると、第２スプリング２５の付勢力によってＸ方向に押されてアーマチャ１７はＸ方向へ移動し、弁体１８はオリフィス１５を塞ぐようになる。このため、制御室１４内の圧力が急激に上昇し、Ｆ１とＦ２の合成力がＦ３を上回るため、ニードル９はＸ方向に移動し、弁部１０は噴孔８を塞ぎ（閉弁）、燃料は噴射されなくなる。
【００４８】
上述の構成および作動によれば、ストッパ部材２６１を含むステータは、スプリング４１、４２により下方（図のＸ方向）に付勢されるとともに、ハウジング筒状部である上部ボデー３に外部から径内方向にねじ込まれる調整ねじ４０がストッパ部材２６１の傾斜面２６５に当接することにより、アーマチャ１７軸線方向の位置が調節されようになっている。
【００４９】
したがって、ハウジングをなす構成要素群とステータをなす構成要素群とを組付けた後に、調整ねじ４０によりアーマチャ１７の最大リフト量を決定することができる。これにより、アーマチャ１７の最大リフト量を目標最大リフト量と合致させるためにハウジングとステータとを分解して組み直しを行うことが不要となり、生産性を向上して生産コストを低減することができる。電磁弁５０のアーマチャ１７最大リフト量は噴孔８からの燃料噴射精度に大きく影響するため、噴孔８からの燃料噴射精度が良好な燃料噴射装置１００の生産性を容易に向上することができる。
【００５０】
また、ステータはステータコア２６等の複数の構成要素を一体化して構成されているが、調整ねじ４０が当接する傾斜面２６５はストッパ部材２６１に形成されている。これによると、ステータを構成する複数の要素間の係合関係の誤差等に係わらず、アーマチャ１７の最大変位を規制するストッパ部材２６１を調整ねじ４０によりアーマチャ１７軸線方向に直接変位させることができる。したがって、アーマチャ１７の最大リフト量を精度よく調整することができる。
【００５１】
（第２の実施形態）
次に、第２の実施形態について図３に基づいて説明する。
【００５２】
本第２の実施形態は、前述の第１の実施形態と比較して、調整ねじ４０を用いずに、ハウジング円筒部内周側に設けた雌ねじ部とステータ外周側に設けた雄ねじ部とからなるねじ機構によりアーマチャの最大リフト量を調整する点が異なる。なお、第１の実施形態と同様の部分については、同一の符号をつけ、その説明を省略する。
【００５３】
図３に示すように、本実施形態では、第１の実施形態で採用されていた調整ねじ４０、スプリング４１、４２を用いておらず、上部ボデー３に雌ねじ部３０１を備える貫通孔も形成していない。
【００５４】
本実施形態の電磁弁５０では、ハウジング筒状部である上部ボデー３の内周面に雌ねじ部３１１が形成されている。一方、ステータのストッパ部材２６１には、円盤状部２６２の外周面に雌ねじ部３１１と螺合する雄ねじ部２６６が形成されている。すなわち、雄ねじ部３１１が形成されたストッパ部材２６１を有するステータが本発明で言うところのねじ部材に相当する。
【００５５】
このような構成により、ステータを回動して上部ボデー３の外部からねじ込んで下方（図のＸ方向）に進入させた場合には、ストッパ部材２６１を含むステータ構成が下方（図のＸ方向）に変位する。一方、ステータを回動して上方（図のＹ方向）に後退させた場合には、ストッパ部材２６１を含むステータ構成が上方（図のＹ方向）に変位する。
【００５６】
すなわち、ステータの回動による上部ボデー３へのねじ込み量の変化に応じてステータ構成はアーマチャ１７の軸線方向に変位する。換言すれば、ステータの上部ボデー３へのねじ込み量に応じてステータ構成はアーマチャ１７の軸線方向における位置が決定される。
【００５７】
したがって、ステータのねじ込み量（回動量に応じた軸線方向への進退量）を調節することにより、アーマチャの最大リフト量を設定目標値に合致させるリフト量調整を行うことができる。ステータの回動により上部ボデー３に対するアーマチャ１７の軸線方向におけるステータ位置が決定されると、Ｏリング４３が発生する面圧により、ステータ位置が固定される。
【００５８】
本実施形態の構成および作動によれば、雌ねじ部３１１はハウジング筒状部である上部ボデー３の内周面に形成されており、ステータが雄ねじ部２６６を有するねじ部材となっており、ステータを回動することで、ストッパ部材２６１を含むステータのアーマチャ１７軸線方向の位置が調節されようになっている。
【００５９】
したがって、ハウジングをなす構成要素群とステータをなす構成要素群とを組付けた後に、ステータを回動してアーマチャ１７の最大リフト量を決定することができる。これにより、アーマチャ１７の最大リフト量を目標最大リフト量と合致させるためにハウジングとステータとを分解して組み直しを行うことが不要となり、生産性を向上して生産コストを低減することができる。電磁弁５０のアーマチャ１７最大リフト量は噴孔８からの燃料噴射精度に大きく影響するため、噴孔８からの燃料噴射精度が良好な燃料噴射装置１００の生産性を容易に向上することができる。
【００６０】
また、ターミナル２８１は、ステータの樹脂ボデー２８から上方側に突出している。したがって、リフト量調節のためのステータ回動に伴ってターミナル２８１の位置が変化したとしても、突出方向は変化しないので、ターミナルへ２８１への電力供給ラインの接続が容易である。
【００６１】
また、ステータはステータコア２６等の複数の構成要素を一体化して構成されているが、ハウジングの雌ねじ部３１１に螺合する雄ねじ部２６６はストッパ部材２６１に形成されている。これによると、ステータを構成する複数の要素間の係合関係の誤差等に係わらず、アーマチャ１７の最大変位を規制するストッパ部材２６１を雄ねじ部２６６と雌ねじ部３１１との螺合状態によりアーマチャ１７軸線方向に直接変位させることができる。したがって、アーマチャ１７の最大リフト量を精度よく調整することができる。
【００６２】
（他の実施形態）
以上、本発明の好ましい実施形態について説明したが、本発明は上述した実施形態に何ら制限されることなく、本発明の主旨を逸脱しない範囲において種々変形して実施することが可能である。
【００６３】
上記各実施形態では、低圧燃料の流出ポート３４は下部ボデー２に設けられていたが、これに限定されるものではない。例えば、流出ポート（低圧ポート）が電磁弁５０の上部に設けられるものであってもよい。
【００６４】
また、上記第１の実施形態では、傾斜面２６５がストッパ部材２６１に形成され、上記第２の実施形態では、雄ねじ部２６６がストッパ部材２６１に形成されていたが、これに限らず、アーマチャ１７の最大リフト量を所望の精度で調整することができるのであれば、傾斜面もしくは雄ねじ部を、ストッパ部材以外のステータ構成要素に形成するものであってもよい。
【００６５】
また、上記各実施形態では、ハウジングを下部ボデー２、上部ボデー３、オリフィスプレート１２、およびバルブボデー３０で構成していたが、これに限定されるものではなく、例えば３つ以下の部材もしくは５つ以上の部材で構成するものであってもよい。また、ステータをステータコア２６、ストッパ部材２６１、ソレノイド２７、樹脂ボデー２８、ステータケース２９等で構成していたが、これに限定されるものではない。
【００６６】
また、上記各実施形態におけるアーマチャ１７の円盤状部１７１と軸方向突出部１７２は、一体となって軸方向に往復運動する部材であればよく、例えば元々が別体の複数部品を組み立てて一体に構成するものであってもよい。
【００６７】
また、上記各実施形態では、電磁弁をディーゼルエンジンまたはガソリンエンジンの気筒内へ燃料を直接的に噴射する燃料噴射装置もしくは吸気ポートへ燃料を噴射する燃料噴射装置に採用する場合について説明したが、本発明を適用した電磁弁の用途はこれに限定されるものではない。例えば、車両に搭載される内燃機関の出力軸に駆動連結される自動変速機の入力軸と出力軸との間に配設された遊星歯車装置の構成要素を接続駆動する少なくとも１つ以上の油圧サーボに連通する油圧回路に供給する出力油圧を、パイロット圧に比例した制御圧に調圧するためのスプール弁を備えた電磁式油圧制御弁に本発明を適用するものであってもよい。
【００６８】
また、例えば、本発明を、内燃機関の吸気バルブまたは排気バルブの少なくとも一方のバルブの開弁時期、閉弁時期を変更する吸排気可変バルブタイミング機構の進角油圧室または遅角油圧室に対して油圧源の油圧を選択的に給排するための電磁式油圧制御弁に適用しても良い。また、本発明を、電磁式燃料噴射弁や電磁式油圧制御弁だけでなく、水、燃料、作動油、空気等の流体の流量を制御する電磁式流量制御弁または電磁式開閉弁等に適用しても良い。
【符号の説明】
【００６９】
２  下部ボデー（ハウジングの一部）
３  上部ボデー（ハウジングの一部、筒状部）
１２  オリフィスプレート（ハウジングの一部）
１５  オリフィス（流体通路、燃料排出通路）
１７  アーマチャ
１８  弁体
２５  第２スプリング（付勢部材）
２６  ステータコア（ステータの一部）
２７  ソレノイド（ステータの一部）
２９  ステータケース（ステータの一部）
３０  バルブボデー（ハウジングの一部）
３３  アーマチャ収容空間
４０  調整ねじ（ねじ部材）
５０  電磁弁
１００  燃料噴射弁（燃料噴射装置）
２６１  ストッパ部材
２６５  傾斜面
２６６、４０１  雄ねじ部
３０１、３１１  雌ねじ部
【図１】
2010174753.tif 000003
【図２】
2010174753.tif 000004
【図３】
2010174753.tif 000005